(57)【特許請求の範囲】
【請求項１】
一端側にヘッド部を有し、他端側を基端とする第１アームと、
一端側に凸部が形成され、他端側を基端として前記第１アームの基端と互いに回動可能に連結される第２アームとを備え、
前記第２アームの前記一端側は、使用時に使用者の口内に挿入され、
前記ヘッド部は、
使用者の顔の肌表面を介して生体組織に超音波による機械的刺激または電気による電気的刺激を与える刺激体と、
前記刺激体を振動させて生体組織に機械的刺激を与える振動部と、を有し、
前記刺激体は、前記ヘッド部と前記第２アームの一端側とが当接されるときに前記凸部と対向する位置にあることを特徴とする美顔器。
【請求項２】
前記刺激体は、前記第１アームの長手方向に所定長さ離間して配置された少なくとも一対の電極であり、
前記凸部は、前記ヘッド部と前記第２アームの一端側とが当接されるときに、前記少なくとも一対の電極の間に嵌挿するように形成されることを特徴とする請求項１に記載の美顔器。
【請求項３】
前記電極は、ローラからなることを特徴とする請求項２に記載の美顔器。
【請求項４】
前記第２アームは、その略中間位置に向かって前記第１アームから離間する方向に湾曲していることを特徴とする請求項１乃至３のいずれかに記載の美顔器。
【発明の詳細な説明】
【技術分野】
【０００１】
本発明は、美顔器に係り、詳しくはハンディタイプの美顔器に関する。
【背景技術】
【０００２】
一般に、所定の大きさの電圧パルスを与える電気的刺激や、モータを作動させて振動を加える機械的刺激を人体の筋肉に与えることによって筋肉を強制的に運動させてほぐし、血行を促進して新陳代謝を高めるようなマッサージ器が開発されている。このようなマッサージ器の作用を人間の顔にある筋肉に与えるものが美顔器として数多く開発されている。このような美顔器は、上記と同様の効果に加えて、たるみを低減して肌に張りを持たせるという効果等も期待されている。
【０００３】
そのような美顔器として、例えばＬＥＤ光を照射すると共にローラ型の電極から所定の電圧パルスを肌に与えて、老廃物の排泄、メラニンの生成の抑制、及び肌の新陳代謝を高めるものや（特許文献１参照）、皮下の筋肉に電気的刺激を与えたことによる筋肉収縮後の弛緩期間中に振動等の機械的刺激を与えることにより、皮下の筋肉を効果的に鍛えて新陳代謝を高めるもの（特許文献２参照）等が知られている。
【先行技術文献】
【特許文献】
【０００４】
【特許文献１】特開２００９−９５４１６号公報
【特許文献２】特許第３７３６０２３号公報
【発明の概要】
【発明が解決しようとする課題】
【０００５】
しかしながら、上記特許文献では、いずれも顔の肌表面から電圧パルス等の電気的刺激や、モータからの機械的刺激を与えるものであり、この場合は皮下にある筋肉にしか電気的刺激や機械的刺激が伝達されず、皮下の奥の方にある筋肉、例えば口内側にある筋肉にはこのような刺激が伝達されにくいという問題がある。従って、このような美顔器では皮下の奥の方にある筋肉をほぐして血行を促進したり、新陳代謝を高めたりすることは困難であった。
【０００６】
本発明は、上述した課題を解決すべくなされたものであり、その目的とするところは、皮下の奥にある筋肉のマッサージも行うことができる美顔器を提供することにある。
【課題を解決するための手段】
【０００７】
上記の目的を達成するべく、請求項１の美顔器は、一端側にヘッド部を有し、他端側を基端とする第１アームと、一端側に凸部が形成され、他端側を基端として前記第１アームの基端と互いに回動可能に連結される第２アームとを備え、前記第２アームの前記一端側は、使用時に使用者の口内に挿入され、前記ヘッド部は、使用者の顔の肌表面を介して生体組織に超音波による機械的刺激または電気による電気的刺激を与える刺激体と、前記刺激体を振動させて生体組織に機械的刺激を与える振動部と、を有し、前記刺激体は、前記ヘッド部と前記第２アームの一端側とが当接されるときに前記凸部と対向する位置にあることを特徴とする。
【０００８】
請求項２の美顔器は、請求項１の美顔器において、前記刺激体は、前記第１アームの長手方向に所定長さ離間して配置された少なくとも一対の電極であり、前記凸部は、前記ヘッド部と前記第２アームの一端側とが当接されるときに、前記少なくとも一対の電極の間に嵌挿するように形成されることを特徴とする。
【０００９】
請求項３の美顔器は、請求項２の美顔器において、前記電極は、ローラからなることを特徴とする。
【００１０】
請求項４の美顔器は、請求項1乃至３のいずれかの美顔器において、前記第２アームは、その略中間位置に向かって前記第１アームから離間する方向に湾曲していることを特徴とする。
【発明の効果】
【００１１】
請求項１の美顔器によれば、顔の肌表面に当接されるヘッド部に形成された刺激体と、当該刺激体の裏側に相当する口内に入れられる第２アームの先端側に形成された凸部とで生体組織を挟み込み、電気的刺激または超音波による機械的刺激を与える。
【００１２】
従って、口周りや頬等の顔の皮下にある筋肉のみならず、従来の美顔器では電気的刺激が届きにくかった顔の皮下の奥にある筋肉に対しても、第１アーム及び第２アームからの圧迫によって電気的刺激または超音波による機械的刺激を与えて筋肉運動を行わせることができる。そのため、筋肉がほぐれてリンパの流れや血行を促進し、新陳代謝を向上させることによって、皮下の筋肉の保水力が向上して筋肉の弾性力が増し、より張りのある肌にすることができる。
【００１３】
また、肌及び皮下の筋肉等を振動させる機械的刺激を与えるので、この機械的刺激によって筋肉がマッサージされ、電気的刺激または超音波の機械的刺激による筋肉疲労を和らげることができる。
【００１４】
請求項２の美顔器によれば、凸部はヘッド部に設けられた一対の電極の間に嵌挿するように形成されるので、第１アーム及び第２アームから力を加えることによって肌表面から見るとそれぞれ異なる位置に力がかかるため、使用者が電極及び凸部からの圧迫により感じる痛みを低減することができる。
【００１５】
また、口周りや頬等の筋肉や脂肪等が一対の電極と凸部との間に挟み込まれるので、ヘッド部及び凸部で挟み込んだ部位に力を加えながら移動させる場合でも、電極と凸部との嵌挿がずれることなく滑らかに移動させることができる。
【００１６】
さらに、一対の電極が当接される肌表面と、当該一対の電極の裏側に相当する口内に入れられる凸部との間に挟み込まれる生体組織の密着性を向上させることができる。
【００１７】
請求項３の美顔器によれば、電極はローラであるので、ヘッド部及び凸部で挟持してその挟持箇所を移動させるとローラが回転して肌をマッサージすることができ、肌の血行を促進して肌の新陳代謝を向上させることができる。
【００１８】
また、ローラが回転しながら肌表面を移動させることにより、第１アームからの力が加わっても肌を傷めることなく皮下組織や筋肉へ超音波による機械的刺激または電気的刺激を与えることができる。
【００１９】
請求項４の美顔器によれば、第２アームはその略中間位置に向かって外方に湾曲しているので、挟持部位以外を第１アーム及び第２アームで挟み込む虞はなく、使用者に不快感を与えることのない美顔器を得ることができる。
【図面の簡単な説明】
【００２０】
【図１】本発明に係る美顔器の概略構成を表す斜視図である。
【図２】本発明に係る美顔器の側面図である。
【図３】図１のIII-III線に沿う断面図である。
【図４】本発明に係る美顔器の回路図を表すブロック図である。
【図５】（Ａ）は美顔器がＬＯモードの時に、図４に示す電極に印加される電圧パルスのタイミングチャートであり、（Ｂ）は美顔器がＨＩモードの時に、図４に示す電極に印加される電圧パルスのタイミングチャートである。
【図６】本発明に係る美顔器の使い方を示す模式図である。
【図７】本発明の実施形態の変形例に係る美顔器の側面図である。
【発明を実施するための形態】
【００２１】
以下、本発明の実施形態について図面を参照しながら説明する。図１は、本発明に係る美顔器の概略構成図である。図１に示すように美顔器１は、第１アーム２、及び第２アーム３を備えている。第１アーム２の基端及び第２アーム３の基端は回動部４で互いに回動可能に連結され、第１アーム２及び第２アーム３は回動部４を回転軸としてそれぞれの先端側が離間及び接近する方向に回動可能に構成される。第２アーム３は、基端側から略中央に向かって外方、即ち第１アーム２から離間する方向に湾曲するように形成されている。このように構成されることで、第１アーム２及び第２アーム３はユーザの手に持ちやすく、握りやすい形状となる。第１アーム２及び第２アーム３は、電気絶縁性を有する合成樹脂で構成されている。
【００２２】
第１アーム２の背面側には、長手方向略中央部にスイッチ５が嵌挿されており、スイッチ５から所定長さ離間した位置に表示部６が設けられている。ボタン５は電気絶縁性を有する樹脂で構成されており、例えばゴムや合成樹脂等で構成される。
【００２３】
表示部６は発光素子を備えており、後述するコントローラからの指令に応じて発光素子を発光させる。発光素子として、例えばＬＥＤ等を用いるようにしてもよい。発光素子の発光色は単色としてもよいし、美顔器１の作動モードに応じて発光色が変わるように複数の発光色としてもよい。
【００２４】
第１アーム２の基端側には電池カバー７が取り外し可能に設けられており、電池カバー７の内側には後述するように電池が嵌め込まれている。美顔器１は、電池を嵌め込むことにより作動可能な状態となる。本実施形態の美顔器１は電源コードを有しないため持ち運びに便利であり、旅行等に携帯することにも適している。
【００２５】
図２に美顔器１の側面図を示す。第１アーム２のヘッド部８には、肌に接する一対の電極（刺激体）９ａ、９ｂが第１アーム２の長手方向に所定長さ離間して設けられている。電極９ａ、９ｂはローラ型の電極であり、ヘッド部８の幅方向の回転軸回りに回転可能にそれぞれ軸支されている。
【００２６】
第２アーム３は基端側から略中央に向かって外方に湾曲するように形成されている。第２アーム３の先端部１０は、口内に入れやすいように第２アーム３の基端側に比べて厚さが薄くなるように形成されている。先端部１０は、口内に入れて使用する場合に先端部１０で口内の皮膚を傷つけないようにその周縁が曲線状に形成されると共に、外方へ反るように形成されている。先端部１０には、当該先端部１０を第１アーム２のヘッド部８に当接させたときに一対の電極９ａ、９ｂの間に嵌挿するように凸部１１が形成されている。
【００２７】
図３は、図１のIII-III線に沿う断面図である。第１アーム２は上ケース２０及び下ケース２１が互いに係合して構成される。回動部４は第１アーム２の基端４ａと第２アーム３の基端４ｂとを嵌合した状態で、ピン部材４ｃで第１アーム２の基端４ａ及び第２アーム３の基端４ｂを互いに回動可能に連結する。このような構成とすることにより、第１アーム２及び第２アーム３は所定の角度範囲で離間及び接近することが可能である。なお、本実施形態では第１アーム２及び第２アーム３の開度は最大で約１８０度である。
【００２８】
上ケース２０にはスイッチ５及び表示部６が嵌挿されており、スイッチ５の押圧操作が後述するコントローラに入力される。第１アーム２内には下ケース２１に支持された基板２２が備えられており、基板２２には第１アーム２に収納された電池２３、２３と電気的に接続する端子（図示せず）、コントローラ２４、及び表示駆動部２５が配設されている。コントローラ２４は、表示駆動部２５、駆動部２６、及びモータを用いた振動発生部（振動部、以下モータという）２７と電気的に接続されている。
【００２９】
表示駆動部２５は表示部６と電気的に接続されており、コントローラ２４の指令信号に基づいて表示部６のＯＮ／ＯＦＦ、及び美顔器１の作動モードに応じて表示部６の発光色の変更を行う。
【００３０】
駆動部２６はモータ２７及び電極９ａ、９ｂに電気的に接続されており、コントローラ２４からの指令信号に基づいて作動し、電極９ａ、９ｂ及び電極９ａ、９ｂを収納するローラヘッド部２８の外壁に設けられたモータ２７に通電する。モータ２７は駆動部２６から通電されると振動し、その振動がローラヘッド部２８を介して電極９ａ、９ｂに伝達される。モータ２７が発する振動の大きさは特に規定しないが、ユーザが不快に感じない程度に体感できる大きさであるのが好ましい。
【００３１】
ローラヘッド部２８はローラ型の電極９ａ、９ｂの回転を妨げないように、図示しないが例えばゴムや合成樹脂等のシール部材等によって気密にシールされている。このような構成とすることによりローラヘッド部２８内の防水性が確保され、電極９ａ、９ｂがショートすることを防止する。電極９ａは回転軸２９ａ、電極９ｂは回転軸２９ｂにそれぞれ軸支されており、図示しないが回転軸２９ａ、２９ｂはローラヘッド部２８内に支持されている。
【００３２】
図４は、本実施形態に係る美顔器１の回路図を表すブロック図である。コントローラ２４にはスイッチ５、表示駆動部２５、及び駆動部２６が接続されており、駆動部２６は電極９ａ、９ｂ間に所定の大きさの電圧パルスを印加するパルス駆動部３０、及びモータ２７に通電するモータ駆動部３１を備えている。
【００３３】
コントローラ２４はスイッチ５からの指令信号に基づいて、美顔器１の作動状態、即ち作動モード及び作動終了を判断する。コントローラ２４は、判断した作動モードに応じてパルス駆動部３０及びモータ駆動部３１を作動させると共に、表示駆動部２５に指令信号を送信する。コントローラ２４にスイッチ５からの信号が入力されると、コントローラ２４は経過時間の測定を行う。表示駆動部２５はコントローラ２４からの指令信号に基づいて表示部６の点灯または非点灯を開始する。なお、コントローラ２４が行う経過時間の測定は、スイッチ５からの信号が入力される度に経過時間が０にリセットされる。
【００３４】
パルス駆動部３０は、コントローラ２４からの指令信号に基づいて、所定の周波数で所定の大きさの電圧パルスを発生させて電極９ａ、９ｂに印加する。所定の周波数とは筋肉の収縮運動を行うことのできる周波数であり、美顔器１に設定されている作動モードによって周波数も変動する。
【００３５】
モータ駆動部３１は、コントローラ２４からの指令信号に基づいて、間欠または連続してモータ２７を駆動するように通電する。モータ２７が発する振動が皮下組織及び筋肉に伝達されると、皮下組織や筋肉が振動してほぐされて血行やリンパの流れが促進される。
【００３６】
本実施形態の美顔器１には、作動モードとしてＬＯモードとＨＩモードとが設定されている。ＬＯモードではパルス駆動部３０から電気的刺激として電極９ａ、９ｂに所定の大きさの微小な電圧パルスを印加する、即ち電極９ａ、９ｂが当接する肌に微弱電流を流すと共に、モータ駆動部３１からモータ２７へ間欠的に電流を流して電極９ａ、９ｂを間欠的に振動させる（機械的刺激）。このＬＯモードで与えられる電気的刺激、即ち微弱電流を流すことによるマッサージ効果によってリンパの流れや血行が促進され、新陳代謝を向上させることができる。
【００３７】
一方、ＨＩモードではパルス駆動部３０から筋肉の収縮運動をすることができる所定の大きさの電圧パルス（電気的刺激）を電極９ａ、９ｂに印加すると共に、モータ駆動部３１からモータ２７へ電流を流してモータ２７を連続して振動させる。このＨＩモードで与えられる電気的刺激、即ち電圧パルスを所定の周期で印加することによって筋肉に電気的刺激が伝達されて筋肉の収縮運動を強制的に行わせることで、血行が促進されて新陳代謝を向上させることができる。
【００３８】
詳しくは、図５に基づいて説明する。図５（Ａ）は、美顔器１がＬＯモードの時に電極９ａ、９ｂに印加される電圧パルスのタイミングチャートであり、図５（Ｂ）は、美顔器１がＨＩモードの時に電極９ａ、９ｂに印加される電圧パルスのタイミングチャートである。
【００３９】
美顔器１がＬＯモードの時には、パルス駆動部３０は、例えば１００Ｈｚの周波数で作動する。従って、パルス間隔Ｔ１は１０msecとなる。ＬＯモードでは、パルス駆動部３０は９５Ｈｚ〜１０５Ｈｚの低周波で作動するのが好ましい。パルス幅ｄ１は１００μsecとしているがこれに限られず、人体に効果的な影響を与える範囲から選択される。
【００４０】
美顔器１がＨＩモードの時には、パルス駆動部３０は、例えば１０Ｈｚの周波数で作動する。従って、パルス間隔Ｔ２は１００msecとなる。ＨＩモードでは、パルス駆動部３０は９．５Ｈｚ〜１０．５Ｈｚの低周波で作動するのが好ましい。この周波数範囲であれば、１度電圧パルスによる電気的刺激が与えられてから次の電圧パルスによる電気的刺激が筋肉に与えられるまでに筋肉が収縮して弛緩することができ、効果的な筋肉運動を行うことができる。パルス幅ｄ２は１００μsecとしているがこれに限られず、人体に効果的な影響を与える範囲から選択される。なお、ＬＯモードのパルス電圧Ｖ１よりもＨＩモードのパルス電圧Ｖ２は大きく設定される。
【００４１】
このように構成された美顔器１の作用について説明する。図６は美顔器１の使い方を模式的に表した図であり、この図に基づいて以下に説明する。スイッチ５が操作されることによって、スイッチ５からの信号がコントローラ２４に入力される。コントローラ２４はスイッチ５からの信号に基づいて作動モードを判断し、表示駆動部２５に作動モードに応じた指令信号を送信すると共にパルス駆動部３０及びモータ駆動部３１に通電する。また、コントローラ２４にスイッチ５からの信号が入力されると、コントローラ２４は経過時間の測定を開始する。
【００４２】
ユーザによって第１アーム２の電極９ａ、９ｂを肌表面に当接されると共に第２アーム３の先端部１０は口内に入れられ、ユーザが第１アーム２及び第２アーム３を握る事で、頬の肌表面と、当該肌表面の裏側に相当する口内との間にある生体組織が第１アーム２及び第２アーム３によって挟み込まれて押圧される。
【００４３】
詳しくは、第１アーム２のヘッド部８に設けられた電極９ａ、９ｂと、電極９ａ、９ｂの間に嵌挿するように形成された凸部１１とで頬や口周りの部位を挟み込むことによって顔の所定の部位が押圧されて周囲より薄くなる。第１アーム２及び第２アーム３で挟み込まれた部位の筋肉や皮下組織には、電極９ａ、９ｂからの電気的刺激に加えてモータからの振動が電極９ａ、９ｂを介して与えられる。図６に示すように、美顔器１は第１アーム２及び第２アーム３で挟み込む部位を矢印の方向にずらしていくように利用することで、電気的刺激及びモータの振動による機械的刺激を与えることができる。このとき、ローラ型の電極９ａ、９ｂによって、肌表面を滑らかに移動させることができる。
【００４４】
コントローラ２４は、スイッチ５からの信号が入力されてから所定時間が経過すると、自動的に美顔器１の電源をＯＦＦにする。
【００４５】
このように本実施形態では、第１アーム２に形成された電極９ａ、９ｂと第２アーム３に形成された凸部１１とで、肌表面と口内とから所定の部位を挟み込みながら電気的刺激及び振動を与える。従って、挟み込まれた部位は周囲より薄くなり、肌表面下にある筋肉のみならず、肌表面からの電気的刺激が届きにくい口内側にある皮下組織や筋肉にも電気的刺激及び振動が与えられるので、皮下のリンパの流れや肌表面下及び口内側の筋肉の血行を促進して新陳代謝を向上させることができ、肌のたるみをより低減して張りを持たせることができる。
【００４６】
また、電極９ａ、９ｂからの電気的刺激と合わせてモータ２７から振動を与えることによって電気的刺激を与えられた筋肉をマッサージするので、筋肉疲労を和らげることができる。
【００４７】
また、凸部１１は電極９ａ、９ｂの間に嵌挿するように形成されているので、頬や口周りの部位を挟み込むようにしてもユーザに痛み等の不快感を与えにくく、美顔器１の使用感を向上させることができる。さらに、目的とする部位を確実に挟み込むことができるので、肌表面から与えられる電気的刺激及び振動を口内側にある組織や筋肉にも伝達させやすくすることができる。
【００４８】
さらに、電極９ａ、９ｂが当接される肌表面と、電極９ａ、９ｂが当接される裏側に相当する口内に入れられる凸部１１との間に挟み込まれる生体組織との密着性を向上させることができる。
【００４９】
そして、第２アーム３は外方に湾曲するように形成されているので、第１アーム２のヘッド部８に設けられた電極９ａ、９ｂを肌表面に当接し、口内に入れた凸部１１を電極９と挟み込むことで目的とする部位のみを挟持し、その部位の周辺まで挟み込んでしまうことを防止することができる。また、このような形状とすることで第２アーム３の先端部１０に力を加えやすく、使い勝手のよい美顔器を得ることができる。
【００５０】
＜美顔器の変形例＞
上記実施形態の変形例について以下に説明する。この変形例では、第２アーム３の先端部１０に複数の凸部を設けた点が異なっており、その他の構成については共通しているので説明を省略する。
【００５１】
図７は、美顔器１０１の変形例の概略構成を表す側面図である。第２アーム１０３の先端部１１０には、電極９ａ、９ｂの間に嵌挿するように形成された凸部１１と、ローラヘッド部面１４０に当接するように形成された第２凸部１１１ａと、第３凸部１１１ｂとが形成されている。先端部１１０の凸部１１と第２凸部１１１ａとの間には、電極９ａと嵌合するように第１凹部１４１ａが形成されている。先端部１１０の凸部１１と第３凸部１１１ｂとの間には、電極９ｂと嵌合するように第２凹部１４１ｂが形成されている。
【００５２】
このように、さらに第２凸部１１１ａ、第３凸部１１１ｂを形成することによって、第１アーム２及び第２アーム１０３で顔のより広い部位を押圧することができるので、より広い部位に電気的刺激及び振動を与えて血行を促進したり、新陳代謝を高めることができる。
【００５３】
以上で実施形態の説明を終えるが、本発明は上述した実施形態に限定されるものではない。
【００５４】
例えば、上記実施形態では、電気的刺激として所定の大きさの電圧パルスを電極９ａ、９ｂに印加するようにしているが、電圧パルスの代わりに超音波による機械的刺激を与えるようにしてもよい。
【００５５】
また、上記実施形態では、第１アーム２及び第２アーム３で頬や口周りの所定の部位を挟み込むようにしているが、第１アーム２のみを利用することも可能である。例えば、美顔器１を目元に用いる場合には、第１アーム２に設けられた電極９ａ、９ｂを目元の所定部位に当接して電気的刺激及び振動を与えるようにすることができる。第１アーム２及び第２アーム３は回動部４によって所定の角度で回動することができ、上記実施形態では最大で約１８０度回動可能であるので、第１アーム２のみを利用して目元等にも利用することができる。
【００５６】
また、上記変形例では、第１凸部１１１ａ、第２凸部１１１ｂがローラヘッド部面１４０に当接し、電極９ａに嵌合するように第１凹部１４１ａ、電極９ｂに嵌合するように第２凹部１４１ｂがそれぞれ形成されているが、第１凸部１１１ａ、第２凸部１１１ｂとローラヘッド部面１４０との間が所定の間隔離間するように形成されてもよい。また、電極９ａと第１凹部１４１ａ及び電極９ｂと第２凹部１４１ｂの間も所定の間隔離間するように形成されてもよい。このように形成されることで、肌表面及び口内から頬や口周りの部位を挟み込むようにしても、ユーザに与える痛みなどの不快感を低減させることができる。
【００５７】
また、上記実施形態では電源として電池を使用しているが、充電池を電源とするようにしてもよい。
【符号の説明】
【００５８】
１  美顔器
９ａ、９ｂ  電極（刺激体）
１１  凸部
２４  コントローラ
２７  モータ（振動部）
３０  パルス駆動部
３１  モータ駆動部
【図１】
0005916362.tif 000002
【図２】
0005916362.tif 000003
【図３】
0005916362.tif 000004
【図４】
0005916362.tif 000005
【図５】
0005916362.tif 000006
【図６】
0005916362.tif 000007
【図７】
0005916362.tif 000008